【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
無線リソースを管理するためのネットワークノード（１１０）における方法であって、前記ネットワークノード（１１０）はワイヤレス無線ネットワーク（１００）に含まれ、前記ワイヤレス無線ネットワーク（１００）において動作するように構成された移動局（１６０）は、同時受信のための最大帯域幅とキャリヤを含む第１のキャリヤリストとを有し、前記キャリヤは、前記移動局（１６０）に割り付けられた無線キャリヤであり、前記最大帯域幅は前記第１のキャリヤリスト中のすべてのキャリヤを包含することができず、
前記方法は、
前記第１のキャリヤリストから１つ以上のキャリヤを削除すること（２０５）を含み、
前記１つ以上のキャリヤの削除は、前記削除すること（２０５）の後のすべての残存キャリヤを前記最大帯域幅が包含することができるまで、１キャリヤずつ実行され、削除される前記１つ以上のキャリヤは、優先度リストによれば最低優先度を有しており、
前記残存キャリヤは、前記移動局（１６０）のための受信すべきキャリヤを含む
ことを特徴とする方法。
【請求項２】
前記移動局（１６０）の前記最大帯域幅が前記第１のキャリヤリスト中のすべてのキャリヤを包含することができないことを計算すること（２０４）を更に有し、
前記第１のキャリヤリストから１つ以上のキャリヤを削除すること（２０５）は更に、
前記第１のキャリヤリストから、前記優先度リストに応じて最低優先度を有する１つのキャリヤを削除することであって、前記１つのキャリヤを削除することにより、前記最低優先度を有するキャリヤの削除後のすべての残存キャリヤを含む減縮済みキャリヤリストが得られることと、
前記移動局（１６０）の前記最大帯域幅が前記減縮済みキャリヤリスト中のすべての前記残存キャリヤを包含することができるかどうかを計算することとを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除すること（２０５）はさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除することを更に有することを特徴とする請求項１に記載の方法。
【請求項３】
前記１つ以上のキャリヤを削除すること（２０５）の後のすべての前記残存キャリヤを前記最大帯域幅が包含することができる場合、前記１つ以上のキャリヤを削除すること（２０５）の後のすべての前記残存キャリヤが前記移動局のための受信キャリヤを含むと判定することを更に有することを特徴とする請求項１または２に記載の方法。
【請求項４】
前記ネットワークノード（１１０）が、基地局（１２０）、基地局コントローラ（１４０）およびコアネットワークノード（１５０）の１つであることを特徴とする請求項１乃至３のいずれか一項に記載の方法。
【請求項５】
前記移動局（１６０）へのリソース割り付けの処理において前記第１のキャリヤリスト中のキャリヤに優先度を付けること（２０２）であって、前記優先度を付けることは１つ以上の量に基づいており、前記優先度を付けることにより前記優先度リストを含む決定が得られることを更に有することを特徴とする請求項４に記載の方法。
【請求項６】
前記移動局（１６０）から、同時受信のための前記移動局（１６０）がサポートする前記最大帯域幅を受信すること（２０１）を更に有することを特徴とする請求項４又は５に記載の方法。
【請求項７】
前記優先度リストを前記移動局（１６０）に暗黙にまたは明示的に信号送信すること（２０３）を更に有することを特徴とする請求項４乃至６のいずれか一項に記載の方法。
【請求項８】
前記１つ以上の量は、優先度を付けるキャリヤの明示的リスト、モバイルアロケーションインデックスオフセット（ＭＡＩＯ）、割り当て、絶対無線周波数チャネル番号（ＡＲＦＣＮ）、および割り付け順序のひとつを含むことを特徴とする、請求項５を引用する請求項６又は７に記載の方法。
【請求項９】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする、請求項２を引用する請求項３をさらに引用する請求項４乃至８のいずれか一項に記載の方法。
【請求項１０】
無線リソースを管理するための移動局（１６０）における方法であって、前記移動局（１６０）はワイヤレス無線ネットワーク（１００）内で動作するよう構成され、前記移動局（１６０）は、同時受信のための最大帯域幅とキャリヤを含む第１のキャリヤリストとを有し、前記キャリヤは、前記移動局（１６０）に割り当てられた無線キャリヤであり、前記最大帯域幅は前記第１のキャリヤリスト中のすべてのキャリヤを包含することができず、
前記方法は、
前記第１のキャリヤリストから１つ以上のキャリヤを削除すること（５０４）であって、前記１つ以上のキャリヤの削除は、前記最大帯域幅が、前記削除すること（５０４）の後のすべての残存キャリヤを包含することができるまで、１キャリヤずつ実行され、削除される前記１つ以上のキャリヤは、優先度リストによれば最低優先度を有しており、前記残存キャリヤは、前記移動局（１６０）のための受信すべきキャリヤを含むところのことと、
判定された前記キャリヤ上での無線受信を続行すること（５０７）と
を含むことを特徴とする方法。
【請求項１１】
前記移動局（１６０）の前記最大帯域幅が前記第１のキャリヤリスト中のすべてのキャリヤを包含することができないことを計算すること（５０３）を更に有し、
前記第１のキャリヤリストから１つ以上のキャリヤを削除すること（５０４）は更に、
前記第１のキャリヤリストから、前記優先度リストに応じて最低優先度を有する１つのキャリヤを削除することであって、前記１つのキャリヤを削除することにより、前記最低優先度を有するキャリヤの削除後のすべての残存キャリヤを含む減縮済みキャリヤリストが得られることと、
前記移動局（１６０）の前記最大帯域幅が前記減縮済みキャリヤリスト中のすべての前記残存キャリヤを包含することができるかどうかを計算することとを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除すること（５０４）はさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記移動局（１６０）が計算するまで、１つずつ削除することを更に有することを特徴とする請求項１０に記載の方法。
【請求項１２】
前記削除されたキャリヤに関連付けられた１つ以上のタイムスロット上での無線受信を無効にすること（５０５）を更に有することを特徴とする請求項１０または１１に記載の方法。
【請求項１３】
前記１つ以上のキャリヤを削除すること（５０４）の後のすべての前記残存キャリヤを前記最大帯域幅が包含することができる場合、前記１つ以上のキャリヤを削除すること（５０４）の後のすべての前記残存キャリヤが前記移動局のための受信キャリヤを含むと判定すること（５０６）を更に有することを特徴とする請求項１０乃至１２のいずれか一項に記載の方法。
【請求項１４】
前記ワイヤレス無線ネットワーク（１００）に含まれたネットワークノード（１１０）からキャリヤの優先度リストを暗黙に又は明示的に取得すること（５０２）を更に有し、
前記ネットワークノード（１１０）は、基地局（１２０）、基地局コントローラ（１４０）、およびコアネットワークノード（１５０）のひとつであり、前記第１のキャリヤリスト中のキャリヤは、前記移動局（１６０）へのリソース割り付けの処理において前記ネットワークノード（１１０）により優先度を付けられ、前記優先度を付けることは、優先度付けするキャリヤを持つ明示的リスト、モバイルアロケーションインデックスオフセット（ＭＡＩＯ）、割り当て、絶対無線周波数チャネル番号（ＡＲＦＣＮ）およびキャリヤ割り付け順序のうちのひとつを含む１つ以上の量に基づいていることを特徴とする請求項１０乃至１３のいずれか一項に記載の方法。
【請求項１５】
同時受信のための前記移動局（１６０）によりサポートされた前記最大帯域幅をネットワークノード（１１０）に送信すること（５０１）を更に有することを特徴とする請求項１０乃至１４のいずれか一項に記載の方法。
【請求項１６】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする、請求項１１を引用する請求項１３をさらに引用する請求項１４乃至１５のいずれか一項に記載の方法。
【請求項１７】
無線リソースを管理するためのネットワークノード（１１０）であって、前記ネットワークノード（１１０）はワイヤレス無線ネットワーク（１００）に含まれるよう構成され、前記ワイヤレス無線ネットワーク（１００）において動作するように構成された移動局（１６０）は、同時受信のための最大帯域幅とキャリヤを含む第１のキャリヤリストとを有し、前記キャリヤは、前記移動局（１６０）に割り付けられた無線キャリヤであり、前記最大帯域幅は前記第１のキャリヤリスト中のすべてのキャリヤを包含することができず、
前記ネットワークノード（１１０）は、
前記第１のキャリヤリストから１つ以上のキャリヤを削除するよう構成された削除回路（７０１）を含み、
前記１つ以上のキャリヤを削除することは、前記削除の後のすべての残存キャリヤを前記最大帯域幅が包含することができるまで、１キャリヤずつ実行され、削除される前記１つ以上のキャリヤは、優先度リストによれば最低優先度を有しており、
残存キャリヤは、前記移動局（１６０）のための受信すべきキャリヤを含む
ことを特徴とするネットワークノード（１１０）。
【請求項１８】
前記移動局（１６０）の前記最大帯域幅が前記第１のキャリヤリスト中のすべてのキャリヤを包含することができないことを計算するよう構成された計算回路（７０３）を更に有し、
前記削除回路（７０１）における前記第１のキャリヤリストから１つ以上のキャリヤを削除することは、
前記第１のキャリヤリストから、前記優先度リストによれば最低優先度を有する１つのキャリヤを削除することであって、前記１つのキャリヤを削除することは、前記最低優先度を有するキャリヤの削除後のすべての残存キャリヤを含む減縮済みキャリヤリストが得られるよう構成されたことと、
前記移動局（１６０）の前記最大帯域幅が前記減縮済みキャリヤリスト中のすべての前記残存キャリヤを包含することができるかどうかを計算することとを更に含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除することはさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除することを更に含むことを特徴とする請求項１７に記載のネットワークノード（１１０）。
【請求項１９】
前記１つ以上のキャリヤの削除の後のすべての前記残存キャリヤを前記最大帯域幅が包含することができる場合、前記１つ以上のキャリヤの削除の後のすべての前記残存キャリヤが前記移動局のための受信キャリヤを含むと判定するよう構成された判定回路（７０４）を更に有することを特徴とする請求項１７または１８に記載のネットワークノード（１１０）。
【請求項２０】
前記ネットワークノード（１１０）が、基地局（１２０）、基地局コントローラ（１４０）およびコアネットワークノード（１５０）の１つであることを特徴とする請求項１７乃至１９のいずれか一項に記載のネットワークノード（１１０）。
【請求項２１】
前記移動局（１６０）へのリソース割り付けの処理において前記第１のキャリヤリスト中のキャリヤに優先度を付けるよう構成された優先度付け回路（７０２）であって、前記優先度を付けることは１つ以上の量に基づいており、前記優先度を付けることにより前記優先度リストを含む決定が得られる回路を更に有することを特徴とする請求項２０に記載のネットワークノード（１１０）。
【請求項２２】
前記移動局（１６０）から、同時受信のための前記移動局（１６０）がサポートする前記最大帯域幅を受信するよう構成された受信回路（７０５）を更に有することを特徴とする請求項２０又は２１に記載のネットワークノード（１１０）。
【請求項２３】
前記優先度リストを前記移動局（１６０）に暗黙にまたは明示的に信号伝達するよう構成された信号伝達回路（７０６）を更に有することを特徴とする請求項２０乃至２２のいずれか一項に記載のネットワークノード（１１０）。
【請求項２４】
前記１つ以上の量は、優先度を付けるキャリヤの明示的リスト、モバイルアロケーションインデックスオフセット（ＭＡＩＯ）、割り当て、絶対無線周波数チャネル番号（ＡＲＦＣＮ）、および割り付け順序のひとつを含むことを特徴とする、請求項２１を引用する請求項２２又は２３に記載のネットワークノード（１１０）。
【請求項２５】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする、請求項１８を引用する請求項１９をさらに引用する請求項２０乃至２４のいずれか一項に記載のネットワークノード（１１０）。
【請求項２６】
無線リソースを管理するための移動局（１６０）であって、前記移動局（１６０）はワイヤレス無線ネットワーク（１００）内で動作するよう構成され、前記移動局（１６０）は、同時受信のための最大帯域幅とキャリヤを含む第１のキャリヤリストとを有し、前記キャリヤは、前記移動局（１６０）に割り当てられた無線キャリヤであり、前記最大帯域幅は前記第１のキャリヤリスト中のすべてのキャリヤを包含することができず、
前記移動局（１６０）は、
前記第１のキャリヤリストから１つ以上のキャリヤを削除するよう構成された削除回路（８０１）であって、前記１つ以上のキャリヤを削除することは、前記削除の後のすべての残存キャリヤを前記最大帯域幅が包含することができるまで、１キャリヤずつ実行され、削除される前記１つ以上のキャリヤは、優先度リストによれば最低優先度を有しており、前記残存キャリヤは、前記移動局（１６０）のための受信すべきキャリヤを含むところの回路と、
判定された前記キャリヤ上での無線受信を続行するよう構成された受信回路（８０２）と
を含むことを特徴とする移動局（１６０）。
【請求項２７】
前記移動局（１６０）の前記最大帯域幅が前記第１のキャリヤリスト中のすべてのキャリヤを包含することができないことを計算するよう構成された計算回路（８０３）を更に有し、
前記削除回路（８０１）において、前記第１のキャリヤリストから１つ以上のキャリヤを削除することは更に、
前記第１のキャリヤリストから、前記優先度リストに応じて最低優先度を有する１つのキャリヤを削除することであって、前記１つのキャリヤを削除することにより、前記最低優先度を有するキャリヤの削除後のすべての残存キャリヤを含む減縮済みキャリヤリストが得られることと、
前記移動局（１６０）の前記最大帯域幅が前記減縮済みキャリヤリスト中のすべての前記残存キャリヤを包含することができるかどうかを計算することとを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除することはさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記移動局（１６０）が計算するまで、１つずつ削除することを更に含むことを特徴とする請求項２６に記載の移動局（１６０）。
【請求項２８】
前記削除されたキャリヤに関連付けられた１つ以上のタイムスロット上での無線受信を無効にする無効化回路（８０４）を更に有することを特徴とする請求項２６または２７に記載の移動局（１６０）。
【請求項２９】
前記１つ以上のキャリヤの削除の後のすべての前記残存キャリヤを前記最大帯域幅が包含することができる場合、前記１つ以上のキャリヤの削除の後のすべての前記残存キャリヤが前記移動局のための受信キャリヤを含むと判定するよう構成された判定回路（８０５）を更に有することを特徴とする請求項２６乃至２８のいずれか一項に記載の移動局（１６０）。
【請求項３０】
前記ワイヤレス無線ネットワーク（１００）に含まれたネットワークノード（１１０）からキャリヤの優先度リストを暗黙に又は明示的に取得するよう構成された取得回路（８０６）を更に有し、
前記ネットワークノード（１１０）は、基地局（１２０）、基地局コントローラ（１４０）、およびコアネットワークノード（１５０）のひとつであり、前記第１のキャリヤリスト中のキャリヤは、前記移動局（１６０）へのリソース割り付けの処理において前記ネットワークノード（１１０）により優先度を付けられ、前記優先度を付けることは、優先度付けするキャリヤを持つ明示的リスト、モバイルアロケーションインデックスオフセット（ＭＡＩＯ）、割り当て、絶対無線周波数チャネル番号（ＡＲＦＣＮ）およびキャリヤ割り付け順序のうちのひとつを含む１つ以上の量に基づいていることを特徴とする請求項２６乃至２９のいずれか一項に記載の移動局（１６０）。
【請求項３１】
同時受信のための前記移動局（１６０）によりサポートされた前記最大帯域幅をネットワークノード（１１０）に送信するよう構成された送信回路（８０７）を更に有することを特徴とする請求項２６乃至３０のいずれか一項に記載の移動局（１６０）。
【請求項３２】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする、請求項２７を引用する請求項２９をさらに引用する請求項３０乃至３１のいずれか一項に記載の移動局（１６０）。